(57)【特許請求の範囲】
【請求項１】
郵便物の投入口と該投入口から投入される郵便物を受入れる郵便物の受入室と該受入室に備えられる郵便物の取出し口を有する郵便受け箱であって、
前記取出し口が互いに向き合って備えられる縦方向を向いた一対のガイド溝に両側端部を案内されて上下動可能に備えられる蓋体によって開閉可能としてあると共に、
この蓋体が、このガイド溝内において、前記ガイド溝の長手方向に沿って備えられて当該蓋体の一方の面に該蓋体を移動停止位置に保持し得る接触圧で接触される多毛状接触部を備えた案内手段と、該蓋体の他方の面に接触される凸部とで、移動可能かつ移動停止位置に保持可能に挟持されており、
しかも、前記蓋体を移動した際に、前記凸部の少なくとも先端側が係脱可能に係合される孔を該蓋体が備えており、
かつ、該蓋体の下端部には、前記取出し口における向き合った縦向きの面間に位置づけられるように補強縁材が備えられており、この補強縁材から外側に向けて板状をなす把手部が突き出すように当該補強縁材の略全幅にわたって備えられていることを特徴とする郵便受け箱。
【発明の詳細な説明】
【０００１】
【発明の属する技術分野】
この発明は、上下動可能な蓋体によって開閉可能とされる取出し口を有する郵便受け箱、就中、多毛状接触部によって前記蓋体の案内保持をするようにした便受け箱の提供に関する。
【０００２】
【従来の技術】
郵便受け箱内の郵便物の取出しに用いられる取出し口は、通例、投入郵便物の保護などから開閉可能な扉などによって閉じられる構成としてある。
【０００３】
しかしながら、このような軸回りで回動可能に備えられる扉にあっては、この扉の開閉に際して該扉を開き出すための比較的広い操作空間を当該取出し口周辺に必要とし、この扉の開き出し空間を有しない塀内側の狭い空間などに郵便受け箱を都合良く設置するのに不具合があった。
【０００４】
また、縦軸回りで旋回されて開き出される扉にあっては、取出し口と該開き出される扉の上端側及び側端側との間から雨などが侵入し易く降雨時の郵便物の取出しに際して当該郵便物を濡らす不具合があった。
【０００５】
かかる点から、郵便受け箱の取出し口に上下方向にスライドする蓋板を設けると共に、この蓋板を上方に移動して郵便物の取出しをなすように構成した郵便受け箱が提案されている。
【０００６】
【発明が解決しようとする課題】
しかしながら、かかる郵便受け箱にあっては、郵便物の取出しに際して逐一上方に引き上げた蓋板を他方の手などの何等かの保持手段によって保持した状態で当該郵便受け箱内にある郵便物の取出しをなす必要があり、他に荷物を持っている場合や降雨時あるいは片手操作に難のある場合などにおける郵便物の円滑な取出しに不具合があった。
【０００７】
また、このように取出し口に上下方向にスライドされる蓋板を備えた郵便受け箱にあっては、この上方に引き上げた蓋板を離した際に、この蓋板が取出し口の下端縁に衝突音を生じて落下される不具合があった。
【０００８】
また、このように取出し口の上下方向に単にスライドするように備えられている蓋板にあっては、この蓋板のスライド部分から雨風などの吹き込みが予想され、郵便物の保護の面で十分とは考え難かった。
【０００９】
この発明は、かかる従来の郵便受け箱における不具合を解消するものであって、片手操作によって郵便物を確実に且つ円滑に取出し、且つ、蓋体の緩衝的な閉込みを可能とし、しかも、雨水などによって汚損されないように郵便物の取出しをなし得るようにした郵便受け箱の提供を目的としている。
【００１０】
【課題を解決するための手段】
この発明は、前記目的を達成するために、郵便物の投入口と該投入口から投入される郵便物を受入れる郵便物の受入室と該受入室に備えられる郵便物の取出し口を有する郵便受け箱であって、
前記取出し口が互いに向き合って備えられる縦方向を向いた一対のガイド溝に両側端部を案内されて上下動可能に備えられる蓋体によって開閉可能としてあると共に、
この蓋体が、このガイド溝内において、前記ガイド溝の長手方向に沿って備えられて当該蓋体の一方の面に該蓋体を移動停止位置に保持し得る接触圧で接触される多毛状接触部を備えた案内手段と、該蓋体の他方の面に接触される凸部とで、移動可能かつ移動停止位置に保持可能に挟持されており、
しかも、前記蓋体を移動した際に、前記凸部の少なくとも先端側が係脱可能に係合される孔を該蓋体が備えており、
かつ、該蓋体の下端部には、前記取出し口における向き合った縦向きの面間に位置づけられるように補強縁材が備えられており、この補強縁材から外側に向けて板状をなす把手部が突き出すように当該補強縁材の略全幅にわたって備えられていることを特徴とする郵便受け箱としてある。
【００１１】
このように構成される郵便受け箱にあっては、この郵便受け箱における郵便物の取出し口が上下方向に移動される蓋体によって開閉されることから該蓋体の開閉部分の周辺部に当該蓋体の開閉操作のための空間が必要でなく、比較的狭い空間内に当該郵便受け箱を設置することができる。
【００１２】
また、開閉される蓋体は当該開閉位置において停止状態に保持されることから、郵便物の取出しや郵便物の受入室内の清掃あるいは補修などに際して逐一開き出し蓋体を他方の手などで保持する必要がなく、片手操作で郵便物の取出しなどをなすことができると共に両手を用いた受入室内の清掃や補修などをなすことができる。
【００１３】
また、開閉される蓋体は前記案内手段の多毛状接触部によって緩衝的に保持されていることから、蓋体が取出し口下端縁に落下衝突される不具合がなく当該下端縁に向けて滑らかに押し下げ移動させることができる。
【００１４】
また、前記蓋体と該蓋体の案内されるガイド溝との間に案内手段の多毛状接触部が備えられていることから、閉じ込み状態にある該蓋体と該ガイド溝との間からの雨水や塵埃などの侵入が効果的に防止される。
【００１５】
また、前記蓋体は前記案内手段の多毛状接触部に面的に接触して該ガイド溝内で緩衝的に保持されると共に、該ガイド溝内を滑らかに案内される。
【００１６】
また、前記ガイド溝に案内される蓋体が該蓋体の一方の面を前記案内手段の多毛状接触部に接触可能とされ且つ他方の面を前記ガイド溝に備えられている凸部に接触可能とされていることから、この郵便受け箱の蓋体が、前記凸部に一方側の面を部分的に接しさせ且つ他方側の面を前記案内手段の多毛状接触部に接触させて、前記ガイド溝に沿って滑らかに移動可能とされる。
【００１８】
また、前記凸部の接触される前記蓋体の面に、該凸部の少なくとも先端側が係脱可能に係合される孔を備えている郵便受け箱の取出し口を開閉する蓋体は、該孔を、所定の開き出し、あるいは閉じ込み位置において、前記凸部に係合状態とすることができる。
【００２２】
【発明の実施の形態】
以下、本発明にかかる典型的な各実施の形態にかかる郵便受け箱Ａについて詳細に説明する。
【００２３】
図１〜図１３は、この典型的な第１の実施の形態に係る郵便受け箱Ａを示すものであって、図１は、この郵便受け箱Ａを斜め上方から見て、図２は、仮想線で示される取付け対象構造体Ｂに前記郵便受け箱Ａを備え付けた状態を断面の状態で示しており、図３は、蓋体３３を閉じた状態の当該郵便受け箱Ａの要部の縦方向の断面を、図４は、蓋体３３を開いた状態の当該郵便受け箱Ａの要部の縦方向の断面を、図５は、蓋体３３を閉じた状態の当該郵便受け箱Ａ下部側の要部を一部省略した縦方向の断面を、図６は、この蓋体３３を上方に引き上げた状態の当該郵便受け箱Ａ上部の要部を一部省略した縦方向の断面を示している。
図７は、当該郵便受け箱Ａを水平の向きで断面して示しており、図８は、その要部の拡大断面を、更に、図９及び図１０は、この要部を夫々向きを変えて切断した拡大断面である。
図１１は、この郵便受け箱Ａの構成に用いられる縦枠材３５をガイド溝３４の側から見て、図１２は、この縦枠材３５を上方から見て、更に、図１３は、この郵便受け箱Ａを構成する蓋体３３を正面側から見て示している。
図１４は、蓋体３３の他の保持構造を備えた第２の実施の形態に係る郵便受け箱Ａの要部を拡大断面の状態で、図１５は、蓋体３３の更に他の保持構造を備えた第３の実施の形態に係る郵便受け箱Ａの要部を拡大断面の状態で示したものである。
【００２４】
この実施の形態に係る郵便受け箱Ａは、郵便物の投入口Ｖと該投入口Ｖから投入される郵便物を受入れる郵便物の受入室Ｗと該受入室Ｗに備えられる郵便物の取出し口Ｘを有する郵便受け箱Ａであって、前記取出し口Ｘが互いに向き合って備えられる縦方向を向いた一対のガイド溝３４に両側端部３３ａを案内されて上下動可能に備えられる蓋体３３によって開閉可能としてあると共に、前記ガイド溝３４に、該ガイド溝３４の長手方向に沿って、該ガイド溝３４内にある前記蓋体３３の側端部３３ａに接触可能な多毛状接触部５１ａを備えた案内手段５１を備えており、この案内手段５１の多毛状接触部５１ａと前記蓋体３３とが、該蓋体３３を前記ガイド溝３４内で、該蓋体３３の移動停止位置に保持し得る接触圧で接触される構成としてある。
【００２５】
かかる典型的な実施の形態にかかる郵便受け箱Ａは、郵便物の投入口Ｖと該投入口Ｖから投入される郵便物を受入れる郵便物の受入室Ｗと該受入室Ｗに備えられる取出し口Ｘとを備えた構成としてある。
かかる郵便受け箱Ａは、更に典型的には、郵便物の受入室Ｗを有する受け箱部１０と、先端側に投入口Ｖを有すると共に該受入室Ｗに連通する投入路Ｙを備えるように該受け箱部１０の上部側から前方に向けて一体に突設された投入路部１１とを備えた構成としてあり、取付け対象構造体Ｂの一方の面Ｂａ側に前記投入路部１１の下方にある前記受け箱部１０の面を向き合わせた状態で、前記投入路部１１を該投入路部１１の先端側を該取付け対象構造体Ｂの他方の面Ｂｂ側に露出するように該取付け対象構造体Ｂに組付け用いるように構成してある。
【００２６】
図１〜図１３において示される第１の実施の形態に係る郵便受け箱Ａは、各種の板状素材、例えば、ステンレス板材などによって構成されるものであって、一連に連続するように備えられている前記受入室Ｗを構成する受け箱部１０と前記投入路Ｙを構成する投入路部１１の側面を構成する一連に連続した一対の側板１２、１２と、この向き合って備えられている一対の側板１２、１２の上端縁間を塞ぐ上面板１３と、前記投入路部１１を構成する側板１２の各下端縁間を塞ぐ投入路下面板１４と、この投入路下面板１４に連続して前記受け箱部１０を構成する前記側板１２における前端縁間を塞ぐ前板１５と、この前板１５に連続して前記受け箱部１０を構成する前記側板１２の各下端縁間を塞ぐように備えられている底板１６とを備えて前記受け箱部１０と投入路部１１とを構成してあり、この受け箱部１０に取出し口Ｘを設けるようにしてある。
【００２７】
かかる構成からなる郵便受け箱Ａは、更に具体的には、前記投入路部１１の内側が前記受け箱部１０の受入室Ｗに連通する投入路Ｙとされており、この投入路部１１の先端に該受入室Ｗに郵便物を投入する投入口Ｖが備えられた構成としてあり、この投入路Ｙの投入口Ｖ側にねじりバネ２２によって常時当該投入路Ｙの投入口Ｖを塞ぐように弾発付勢された開閉自在な口蓋２３を備えた口金２４が設けてある。
【００２８】
また、この口金２４の内側から前記受入室Ｗに向けて前記投入路下面板１４に添うように案内板２５が該投入口Ｖからの郵便物が前記受入室Ｗに容易に案内されるように設けてある。更に、この案内板２５は、前記前板１５の内側に添って前記底板１６に到るように延びた構成としてあり、郵便物が安全且つ確実に該受入室Ｗに案内されるように構成してある。
【００２９】
また、前記底板１６は内側に内側底板１６’を備えた二重底構造としてあり、外側底板１６”に水抜き孔２６を設けると共に、この水抜き孔２６を構成する該外側底板１６”の打抜き片２７上に間隔を開けて前記内側底板１６’を設けるように構成してあり、前記前板１５と反対の側である後端縁１６ａから該底板１６に直角に起立する起立板部２１を備えた構成としてある。
【００３０】
また、前記側板１２は、前記前板１５と反対の側にある該側板１２の上下方向を向いた夫々の側端部１２ａを、この底板１６の後端縁１６ａから更に後方に向けて突き出す構成としてあり、更に該側端部１２ａを一旦互いに近付く側に向けて直角に屈曲させて前記底板１６の後端縁１６ａに平行な後面板部１８とし、この後面板部１８端から更に直角に前記底板１６の後端縁１６ａに近付く向きに屈曲した開口面板部１９として、該受け箱部１０の後面に屈曲部を構成するようにしてある。
【００３１】
また、この郵便受け箱Ａの後面側を構成する開口面板部１９の内側には、該開口面板部１９端から直角に前記側板１２に向けて屈曲されて前記後面板部１８に平行に備えられる外側支持板部２８と、この外側支持板部２８端から直角に前記前板１５に近付く向きに屈曲されて前記側板１２に平行に備えられる側面支持板部２９と、この側面支持板部２９端から互いに近付く向きに直角に屈曲されて前記外側支持板部２８に平行に備えられる内側支持板部３０とを備えた構成としてある。
【００３２】
なお、前記前板１５、側板１２、後面板部１８及び開口面板部１９の夫々の下端部分を前記底板１６の下面側に折返して該底板１６に一体に溶着してあり、また、この郵便受け箱Ａの底板１６の後部側の夫々の隅部に下座１７をビスなどの適宜の取付手段によって止着してある。
【００３３】
また、前記底板１６の後端縁１６ａから起立して備えられる起立板部２１は、その上端部を前記各開口面板部１９、１９間から外方に向けて略直角に屈曲して突き出すと共に該突出し板部に密着するように折返した受け板部３１としてあり、追って説明する蓋体３３の受け部を構成するようにしてある。
【００３４】
また、前記上面板１３は、その後端側１３ａを前記後面板部１８の面に添って下方に屈曲して延設される開口上板部２０としてあり、この開口上板部２０は使用時に角縁によって被傷することのないように前記上面板１３から一旦後方の下向きに傾斜させた傾斜部２０ａとして構成した後、前記後面板部１８に密着して垂直に延設された開口上板部２０ｂを備えた構成としてある。
【００３５】
また、雨天時の雨仕舞いを良くするために前記後面板部１８、１８間にある該開口上板部２０の下端から前記受入室Ｗの内方に向けてやや斜上するように屈曲した開口上面板部２０ｃが設けられており、この開口上面板部２０ｃは、その両側縁を前記開口面板部１９に夫々接するようにして、その先端部を該開口面板部１９よりもやや内側に突き出すよう備えられていると共に、その先端部から垂直方向に屈曲した起立板部２０ｄを有する構成としてある。
【００３６】
このように構成される前記受け箱部１０における前記外側支持板部２８と側面支持板部２９と内側支持板部３０との間に構成されて、互いに向き合うように備えられる一対の溝状部３２の夫々に、蓋体３３の側端部を受け入れるガイド溝３４を備えた縦枠材３５を嵌め入れ状態にして固定するようにしてある。
この夫々の溝状部３２に組み付け状態に備えられる縦枠材３５は、この夫々の縦枠材３５におけるガイド溝３４が互いに向き合うように該溝状部３２に対して嵌め付け状態に固定されている。
【００３７】
また、この溝状部３２に組み付け備えられる縦枠材３５は、その下端部が前記受け箱部１０の底板１６に支持された状態で該溝状部３２内に起立状態に備えられていると共に、追って説明する蓋体３３を、その両側端部を摺動可能に前記ガイド溝３４に納め入れるように該一対の縦枠材３５、３５間に備えさせ、また、この各縦枠材３５、３５間に亙って外部塞ぎ板３６と内部塞ぎ板３７とを組み付けた状態で該縦枠材３５、３５の上端間に上部枠材３８を止着して、前記溝状部３２を構成する内側支持板部３０に対して前記内部塞ぎ板３７及び上部枠材３８と共にビス４０を用いて一体に組み付けてある。
【００３８】
このように前記開口面板部１９の内側にあって、互いに向き合っている前記一対の溝状部３２内に嵌め入れの状態で前記内側支持板部３０に一体にビス４０で止め付けられている前記縦枠材３５は、その互いに向き合った面側に前記蓋体３３の両側端部を夫々に受け入れ案内するガイド溝３４を備えた構成としてあり、この図示例にあっては、前記各ガイド溝３４の夫々に隣り合って外部塞ぎ板３６の組み付けに用いられる組付け溝３９を有する構成としてある。
【００３９】
この図示例に係る縦枠材３５は、各種長尺材、典型的には各種の長尺形材、例えば、アルミの押出し形材などによって構成されるものであって、より具体的には、外側板部３５ａと内側板部３５ｂと、この外側板部３５ａ及び内側板部３５ｂの夫々の中間部を接続するように備えられている中間板部３５ｃと、この中間板部３５ｃから前記外側板部３５ａ及び内側板部３５ｂ間に該外側板部３５ａ及び内側板部３５ｂに平行に突き出されている仕切り板部３５ｄと、この仕切り板部３５ｄの先端部から前記内側板部３５ｂの側に向けて一旦直角に屈曲された側面板部３５ｅとされた後に前記中間板部３５ｃの側に向けて直角に屈曲された溝面板部３５ｆと、この溝面板部３５ｆ端に向けて前記中間板部３５ｃから直角に屈曲して突き出されている突出し片部３５ｇと、前記内側板部３５ｂにおける前記蓋体３３の組み付け側端から内外に向けて直角に突き出す鍔状部３５ｈと、この鍔状部３５ｈの内方に突き出す鍔状部３５ｈ’と略同一の突き出し幅で前記内側板部３５ｂから前記中間板部３５ｃの延長線上に突き出される受けリブ３５ｉとを備えた構成としてあり、この外側板部３５ａと内側板部３５ｂの前記溝状部３２に対する嵌め合い側にあって互いに向き合う側に屈曲凸縁３５ｊを突き出し状態に備えた構成としてある。
【００４０】
かかる縦枠材３５は、前記外側支持板部２８と側面支持板部２９及び内側支持板部３０との間に構成される前記溝状部３２内に前記屈曲凸縁３５ｊのある側から嵌め入れの状態で組み付けてあり、この図示例にあっては、前記外側支持板部２８に外側板部３５ａを密着し且つ前記屈曲凸縁３５ｊ端側から前記受けリブ３５ｉ間にある前記内側板部３５ｂを前記内側支持板部３０に密着させると共に該屈曲凸縁３５ｊのある各外側板部３５ａ及び内側板部３５ｂの端部を前記側面支持板部２９の面に当接するようにして組みつけられている。
【００４１】
このように前記溝状部３２に組み付けの状態にある該縦枠材３５は、その互いに向き合った側にある前記外側板部３５ａと仕切り板部３５ｄ及び前記中間板部３５ｃとの間が、追って説明する外部塞ぎ板３６の組付け溝３９とされており、また、この互いに向き合った側にある前記仕切り板部３５ｄの溝面板部３５ｆ及び前記突出し片部３５ｇと前記内側板部３５ｂと前記中間板部３５ｃとの間が、追って説明する蓋体３３の上下方向に向けた案内に用いられるガイド溝３４として構成されている。
【００４２】
かかる受け箱部１０の後面側にあって互いに向き合うように備えられる一対の溝状部３２の夫々に備えられる各縦枠材３５、３５間に外部塞ぎ板３６と内部塞ぎ板３７とが組み付けられている。
【００４３】
この各縦枠材３５、３５間に備えられる外部塞ぎ板３６は、該縦枠材３５の比較的上部側間に亙って備えられているものであって、各種の素材からなる略四角形状の板状体、典型的には、各種のプラスチック板材、より典型的には透明なプラスチック板材、例えば、透明なポリカーボネイト板材などによって構成してあり、その両側縁部を該縦枠材３５における前記組付け溝３９内に入れ込んだ状態で、その上端部と下端部とを該組付け溝３９内に前記中間板部３５ｃから突き出されている支持片４２、４２によって支持されており、且つ、その側面を前記中間板部３５ｃから突き出されている押当て片４３によって該外部塞ぎ板３６を前記外側板部３５ａとの間で保持するように構成してある。
【００４４】
このように各縦枠材３５、３５間に備えられる外部塞ぎ板３６は、その上端部３６ａが前記開口上板部２０の起立板部２０ｄの内奥側の面に接触するように備えられており、前記起立板部２０ｄの長さ方向に亙って設けられている板バネ材からなるクリップ４１によって該外部塞ぎ板３６の上端部３６ａが該起立板部２０ｄに一体に挟持されている。
【００４５】
また、この外部塞ぎ板３６は、その下端部３６ｂに補強縁材４４を備えた構成としてある。
この外部塞ぎ板３６に備えられる補強縁材４４は該外部塞ぎ板３６の下端部３６ｂの前面側に沿って備えられる各種長尺体、典型的には各種の押出し形材、例えば、アルミの押出し形材によって構成される長尺体としてあり、その下部側に該外部塞ぎ板３６の下端縁を受け入れて該外部塞ぎ板３６の背面側に延びるように備えられる屈曲板部４４ａによって構成される溝状部４４ｂ内に前記下端部３６ｂを受け入れて該外部塞ぎ板３６にビス４５などによって止めつけてある。
【００４６】
また、この外部塞ぎ板３６の備えられる側に向き合った前記縦枠材３５の内奥側に、該縦枠材３５の納め入れられる前記内側支持板部３０の面と該縦枠材３５の前記受けリブ３５ｉ並びに鍔状部３５ｈ’に添装されるように、該縦枠材３５、３５間の上部側に亙って内部塞ぎ板３７がビス４０によって該縦枠材３５に止めつけてある。
【００４７】
この内部塞ぎ板３７は前記受入室Ｖ内にある郵便物が、この内部塞ぎ板３７と前記外部塞ぎ板３６との間に移動される蓋体３３の引き上げ操作に際して、この引上げ蓋体３３の上端に引っ掛かる不具合を回避するものであって、各種の板状材、典型的には各種のプラスチック板材、更に典型的には透明なプラスチック板材、例えば、ポリカーボネイト板材によって構成してある。
【００４８】
このように構成されている前記向き合って備えられている一対の開口面板部１９と、前記起立板部２１の受け板部３１と、該外部塞ぎ板３６の補強縁材４４及び内部塞ぎ板３７の下端との間が、郵便物の取出し口Ｘとされており、この取出し口Ｘを開閉する蓋体３３が、この取出し口Ｘの両側部の内側に備えられている前記各縦枠材３６、３６のガイド溝３４に、その両側端部３３ａを案内されて該取出し口Ｘを開閉するように、前記外部塞ぎ板３６と内部塞ぎ板３７との間に送り込み可能に設けてある。
【００４９】
かかる取出し口Ｘを開閉するように前記縦枠材３５に備えられている蓋体３３は、典型的には各種の板状材によって構成されており、典型的には、各種のプラスチック板材、更に典型的には、透明なプラスチック板材、例えば、透明なポリカーボネイト板によって構成してある。
【００５０】
この互いに向き合って縦枠材３５、３５の夫々に備えられている各ガイド溝３４間に両側端部３３ａを入れ込んで上下動可能に備えられる蓋体３３は、略四角形状をなす構成としてあり、このガイド溝３４に嵌め合っていない部分の板状部の上端部３３ｂと下端部３３ｃとに上部補強縁材４６と下部補強縁材４７とを備えた構成、即ち、この蓋体３３を備えて構成される取出し口Ｘにおける向き合った開口面板部１９、１９間に下部補強縁材４７が突き出すように備えられる構成としてある。
【００５１】
この蓋体３３に備えられる上部補強縁材４６と下部補強縁材４７は、各種の長尺材、典型的には各種の押出し形材、例えば、アルミ押出し形材によって構成される。
【００５２】
この蓋体３３の下端部３３ｃに備えられる下部補強縁材４７は、この蓋体３３の下端部３３ｃから該蓋体３３の背面側に延びる屈曲板部４７ａによって該下端部３３ｃを収め入れる溝状部４７ｂを内側の下端側に備えた構成としてあり、また前記上部補強縁材４６は、前記蓋体３３の上端部３３ｂから該蓋体３３の背面側に延びる屈曲板部４６ａによって該上端部３３ｂを収め入れる溝状部４６ｂを内側に備えた構成としてあり、この下部補強縁材４７の前記溝状部４７ｂ内に前記蓋体３３の下端部３３ｃを嵌め入れると共に上部補強縁材４６の溝状部４６ｂ内に該蓋体３３の上端部３３ｂを嵌め入れ状態として、該蓋体３３の外側面に夫々下部補強縁材４７と上部補強縁材４６とを添装状態にして、夫々ビス４８によって該蓋体３３に止め付けてある。
【００５３】
また、前記下部補強縁材４７は該下部補強縁材４７から外側に向けて板状をなす把手部４７ｃを突き出し状態に該下部補強縁材４７の略全幅に亙って一体に備えた構成としてある。そして、この下部補強縁材４７に備えられる把手部４７ｃは、前記起立板部２１の受け板部３１上に突き出すと共に、前記開口面板部１９に連続する前記受け板部３１に沿って備えられている鍵受け板４９上に延びる比較的幅拡の板状把手部４７ｃ’を備えており、この鍵受け板４９上にある該板状把手部４７ｃ’の面に前記鍵受け板４９に備えられる孔４９ａに挿通される南京錠などの鍵杆を挿通する挿通孔４７ｄが設けてあって、前記取出し口Ｘを閉じ込み状態とした前記蓋体３３を当該閉じ込み状態に施錠可能としてある。また、この板状把手部４７ｃ’は、その先端側をやや下方に傾くように設けてあり、該部における雨水を外側に案内するようにしてある。
【００５４】
また、この把手部４７ｃの下面側には、前記取出し口Ｘを該蓋体３３が閉じた際に、前記受け板部３１に当接される突条片４７ｅが設けてあり外部からの雨水の侵入を防止できる構成としてある。
なお、前記構成の板状把手部４７ｃ’は前記下部補強縁材４７の略全幅に亙って備えられていることから、この板状把手部４７ｃ’による蓋体３３の開閉操作が容易とされ、急いでいる場合や暗闇などであっても当該蓋体３３の開閉操作を確実になすことができる。
【００５５】
なお、この縦枠材３５に備えられる蓋体３３は、この蓋体３３を前記取出し口Ｘを閉じた状態に当該縦枠材３５、３５間に備えた際に、この蓋体３３における前記下部補強縁材４７の板状把手部４７ｃ’における突条片４７ｅが前記起立板部２１の受け板部３１上に接するように該受け板部３１上を覆った構成とされ、また、前記上部補強縁材４６を備えた該蓋体３３の上部側が前記外部塞ぎ板３６における補強縁材４４を備えた下端縁よりも上方に位置される雨仕舞いに都合の良い形態に構成してある。
【００５６】
かかる蓋体３３の側端部３３ａの案内されるガイド溝３４は、このガイド溝３４を構成する前記縦枠材３５の内側板部３５ｂから突き出す凸部５０を、この縦枠材３５の上下方向に所定間隔毎に設けてあり、この凸部５０の先端部を、該ガイド溝３４内を案内される前記蓋体３３の一方の面に接触させるように移動可能とし、且つ、この凸部５０の先端部を該蓋体３３に設けられている係合孔３３ｄに対して係脱可能に係合し得るようにしてある。
【００５７】
また、この凸部５０の備えられている内側板部３５ｂに向き合った前記仕切り板部３５ｄの側に、前記ガイド溝３４内に案内される蓋体３３の他方側の面に接触される多毛状接触部５１ａを備えた案内手段５１を設けてあり、この案内手段５１における前記多毛状接触部５１ａと前記凸部５０との間で、前記ガイド溝３４内に案内される蓋体３３を、当該蓋体３３の移動停止位置に当該蓋体３３を保持可能に挟持するように構成してある。
【００５８】
この蓋体３３の一方側の面に接触される前記凸部５０は、前記内側板部３５ｂにおける板面から該内側板部３５ｂの長さ方向に向けた断面が弧状をなすように湾曲状に突き出された構成としてあり、前記蓋体３３の両側端部３３ａにおける上下方向に所定間隔毎に設けられている係合孔３３ｄに係合可能な構成としてある。
【００５９】
また、前記縦枠材３５に備えられる案内手段５１は、前記蓋体３３を前記凸部５０との間で保持可能な各種の多毛状接触部５１ｂを備えたものとして構成してあり、前記ガイド溝３４の長さ方向に亙って設けてあり、典型的には、各種の素材の毛状体からなる多毛状接触部５１ａを、各種の素材からなる帯状基材５１ｂに、各種の方法で設けた案内手段５１が用いられる。
【００６０】
この図示例に係る案内手段５１は、各種の素材からなる複数の毛状体を起毛や植毛などの任意の方法で帯状基材５１ｂに設けて多毛状接触部５１ａとした案内手段５１を用意し、この案内手段５１における前記帯状基材５１ｂを、この案内手段５１の前記多毛状接触部５１ａが前記溝面板部３５ｆと突出し片部３５ｇとの間のスリット３５ｋから前記内側板部３５ｂに向けて突き出すように該仕切り板部３５ｄと側面板部３５ｅと溝面板部３５ｆ及び突出し片部３５ｇとの間に構成される溝状部３５ｍの略全長に亙るように差し入れ止めつけることによって前記縦枠材３５に設けるようにしてある。
【００６１】
かかる案内手段５１の多毛状接触部５１ａは、前記凸部５０に支持されている前記蓋体３３を、その移動位置、例えば、所定の引上げ位置において、その引上げ動作を停止した状態に維持可能とする接触圧で当該蓋体３３に接触される構成としてあり、かかる条件を満たす弾発性を備えるように、用いられる素材に対応した形状、長さ、太さを備えたものとして構成される。
かかる多毛状接触部５１ａは、例えば、ポリプロピレン樹脂を用いて構成される帯状基材５１ｂから、モノフイラメント状に所定太さで、所定の長さに群立されるポリプロピレン樹脂製の毛状体によって構成することができる。
【００６２】
このように取出し口Ｘに備えられガイド溝３４と、このガイド溝３４に備えられる蓋体３３は、前記蓋体３３を該取出し口Ｘを閉じた状態で前記凸部５０が該蓋体３３における上下にある各係合孔３３ｄに係合状態とされ、また、この蓋体３３を該取出し口Ｘを開き出すように引き上げた際に、所定位置で該凸部５０に該蓋体３３の該係合孔３３ｄが係合可能とされ、かつ、この蓋体３３を該取出し口Ｘを開き出した状態に上方に引上げた位置で、該蓋体３３の上下にある係合孔３３ｄに前記凸部５０が係合され得るように前記凸部５０と前記係合孔３３ｄとを備えた構成としてある。
【００６３】
このように取出し口Ｘに備えられる蓋体３３は、前記ガイド溝３４内において前記凸部５０に支持された状態で前記多毛状接触部５１ａによって該蓋体３３を移動させる別段の外力を加えない限り、当該蓋体３３の停止位置に効果的に停止状態で弾発維持されると共に、その閉じ込み位置や、その開き出し位置や、その開き出し途中における所定の位置において、前記凸部５０に対して係脱可能に係合されて、より確実な停止状態を維持される構成としてある。
【００６４】
このように構成される郵便受け箱Ａにあっては、この郵便受け箱Ａ内にある郵便物の取り出しや、この郵便受け箱Ａ内の清掃や、この郵便受け箱Ａ内の補修などに際して、この郵便受け箱Ａにおける蓋体３３を適宜上方に引上げると共に、その引上げ操作の手を離した状態で、この郵便受け箱Ａ内から郵便物を取り出し、あるいは、この郵便受け箱Ａ内の清掃をなし、あるいは、この郵便受け箱Ａ内の補修をなすことができる。
【００６５】
また、かかる郵便物の取り出しに際して、蓋体３３を上方に向けて必要最小限度に引上げて、その下方に構成される取出し口から当該郵便物の取り出しをなし得ることから、取り出し郵便物を雨水などによって濡らすことがない。
【００６６】
また、このように上方に引き上げられた蓋体３３は、その自重によって落下することがなく、この蓋体３３の下方に向けた押し下げ操作によって閉じ込まれることから、蓋体３３の落下による衝撃音を生ずる不具合がない。
【００６７】
また、このようにガイド溝３４内にあって、このガイド溝３４内にある蓋体３３の側端部３３ａの面に接して多毛状接触部５１ａが設けてあることから、この蓋体３３の嵌め込み位置からする雨、風などの吹き込みが効果的に防止され、郵便受け箱Ａ内に雨水や塵埃などが侵入する不具合が防止される。
【００６８】
このように構成される郵便受け箱Ａは、典型的には、当該郵便受け箱Ａを適宜の受け台上にセットし、あるいは各種構造物に組み付けて用いる。
【００６９】
図２では、この郵便受け箱Ａを取付対象構造体Ｂの典型的な事例とされるブロック塀に備えつけ用いる状態を、この取付対象構造体Ｂとして示されるブロック塀を仮想線で示して図示したものであって、該郵便受け箱Ａにおける投入路部１１を該ブロック塀の積み込みブロック上に乗せ掛け、該郵便受け箱Ａの受け箱部１０の前面側に備えた隙間調整具５２を該取付対象構造体Ｂの面Ｂａに当接させ、且つ、該郵便受け箱Ａの投入口Ｖを該取付対象構造体Ｂの他方の面Ｂｂ側に露出させるようにして該投入路部１１上に更にブロックを積み込み、この郵便受け箱Ａを該取付対象構造体Ｂに組み付けたものであって、この取付対象構造体Ｂにおける面Ｂａ側における蓋体３３の開け閉めが、この蓋体３３の上下方向に向けた移動操作のみで可能とされる。
【００７０】
図１４は、第２の実施の形態に係る郵便受け箱Ａの主要部を拡大平断面の状態で示したものである。
【００７１】
この第２の実施の形態に係る郵便受け箱Ａは、前記第１の実施の形態に係る郵便受け箱Ａにおける蓋体３３の係合孔３３ｄに対応する係合孔を設けないで蓋体３３を構成し、この蓋体３３の面に前記凸部５０を当接させるように設けた以外の構成を前記第１の実施の形態に係る郵便受け箱Ａの構成と同一の構成又は実質的に同一の構成としてある。
【００７２】
従って、前記第１の実施の形態に係る郵便受け箱Ａの構成と同一又は実質的に同一の構成部分については同一の番号を付してその説明を省略する。
【００７３】
この実施の形態に係る郵便受け箱Ａにあっては、この郵便受け箱Ａの取出し口Ｘに備えられる蓋体３３が、前記ガイド溝３４内において、一方の側の面に凸部５０を、且つ、他方の側の面を多毛状接触部５１ａで支持されており、前記凸部５０で支持されている該蓋体３３に対する前記多毛状接触部５１ａの接触支持圧が、前記蓋体３３を移動停止位置において当該停止状態に維持し得る接触支持圧となるように構成してある。
【００７４】
このように構成される郵便受け箱Ａは、前記第１の実施の形態に係る郵便受け箱Ａにおけると同様に用いることができ、この郵便受け箱Ａ内にある郵便物の取り出しや、この郵便受け箱Ａ内の清掃や、この郵便受け箱Ａ内の補修などに際して、この郵便受け箱Ａにおける蓋体３３を適宜上方に引上げると共に、その引上げ操作の手を離した状態で、この郵便受け箱Ａ内から郵便物を取り出し、あるいは、この郵便受け箱Ａ内の清掃をなし、あるいは、この郵便受け箱Ａ内の補修をなすことができる。
【００７５】
また、かかる郵便物の取り出しに際して、蓋体３３を上方に向けて必要最小限度に引上げて、その下方に構成される取出し口から当該郵便物の取り出しをなし得ることから、取り出し郵便物を雨水などによって濡らすことがない。
【００７６】
また、このように上方に引き上げられた蓋体３３は、その自重によって落下することがなく、この蓋体３３の下方に向けた押し下げ操作によって閉じ込まれることから、蓋体３３の落下による衝撃音を生ずる不具合がない。
【００７７】
また、このようにガイド溝３４内にあって、このガイド溝３４内にある蓋体３３の側端部３３ａの面に接して多毛状接触部５１ａが設けてあることから、この蓋体３３の嵌め込み位置からする雨、風などの吹き込みが効果的に防止され、郵便受け箱Ａ内に雨水や塵埃などが侵入する不具合が防止される。
【００７８】
図１５は、第３の実施の形態に係る郵便受け箱Ａの主要部を拡大平断面の状態で示したものである。
【００７９】
この第３の実施の形態に係る郵便受け箱Ａは、前記第１の実施の形態に係る郵便受け箱Ａにおける蓋体３３の一方の側の面に接する凸部５０を設けることなく、この蓋体３３の両側の面に夫々多毛状接触部５１’ａ、５１’ａを接触するように一対の案内手段５１’、５１’を設けるようにした以外の構成を前記第１の実施の形態に係る郵便受け箱Ａの構成と同一の構成又は実質的に同一の構成としてある。
【００８０】
従って、前記第１の実施の形態に係る郵便受け箱Ａの構成と同一又は実質的に同一の構成部分については同一の番号を付してその説明を省略する。
【００８１】
この実施の形態に係る郵便受け箱Ａは、前記仕切り板部３５ｄの側に前記第１の実施の形態に係る郵便受け箱Ａの溝状部３５ｍと同様の溝状部３５ｍを備えていると共に、前記内側板部３５ｂの側に、この仕切り板部３５ｄに備えられる溝状部３５ｍと同様の溝状部３５ｎを、この内側板部３５ｂの先端側から直角に屈曲して備えられる側面板部３５ｔと、この側面板部３５ｔから前記中間板部３５ｃの側に向けて直角に屈曲して備えられる溝面板部３５ｐと、この溝面板部３５ｐに向けて前記中間板部３５ｃから直角に突き出し状態に備えられる突出し片部３５ｑとの間に備え、この突出し片部３５ｑと前記溝面板部３５ｐとの間がスリット３５ｓとして構成してある。
【００８２】
かかる溝状部３５ｍ及び溝状部３５ｎに備えられる案内手段５１’は、前記案内手段５１と同様の帯状基材５１’ｂと多毛状接触部５１’ａとを有する構成としてあり、この多毛状接触部５１’ａを前記各スリット３５ｋ及びスリット３５ｓから突き出すように、夫々の溝状部３５ｍ、３５ｎに案内手段５１’における夫々の帯状基材５１’ｂを嵌め入れ止めつけた構成としてある。
【００８３】
この実施の形態に係る郵便受け箱Ａにあっては、この郵便受け箱Ａの取出し口Ｘに備えられる蓋体３３が、前記ガイド溝３４内において、一方の側の面を一方の案内手段５１’の多毛状接触部５１’ａで、且つ、他方の側の面を他方の案内手段５１’の多毛状接触部５１’ａで支持されており、この一方の多毛状接触部５１’ａで支持されている蓋体３３に対する他方の多毛状接触部５１’ａの接触支持圧が、前記蓋体３３を移動停止位置において当該停止状態に維持し得る接触支持圧となるように構成してある。
【００８４】
このように構成される郵便受け箱Ａは、前記第１の実施の形態に係る郵便受け箱Ａにおけると同様に用いることができ、この郵便受け箱Ａ内にある郵便物の取り出しや、この郵便受け箱Ａ内の清掃や、この郵便受け箱Ａ内の補修などに際して、この郵便受け箱Ａにおける蓋体３３を適宜上方に引上げると共に、その引上げ操作の手を離した状態で、この郵便受け箱Ａ内から郵便物を取り出し、あるいは、この郵便受け箱Ａ内の清掃をなし、あるいは、この郵便受け箱Ａ内の補修をなすことができる。
【００８５】
また、かかる郵便物の取り出しに際して、蓋体３３を上方に向けて必要最小限度に引上げて、その下方に構成される取出し口から当該郵便物の取り出しをなし得ることから、取り出し郵便物を雨水などによって濡らすことがない。
【００８６】
また、このように上方に引き上げられた蓋体３３は、その自重によって落下することがなく、この蓋体３３の下方に向けた押し下げ操作によって閉じ込まれることから、蓋体３３の落下による衝撃音を生ずる不具合がない。
【００８７】
また、このようにガイド溝３４内にあって、このガイド溝３４内にある蓋体３３の側端部３３ａの夫々の面に接して多毛状接触部５１ａ、５１’ａが設けてあることから、この蓋体３３の嵌め込み位置からする雨、風などの吹き込みが効果的に防止され、郵便受け箱Ａ内に雨水や塵埃などが侵入する不具合が防止される。
【００８８】
【発明の効果】
この発明に係る郵便受け箱は、郵便物の投入口と該投入口から投入される郵便物を受入れる郵便物の受入室と該受入室に備えられる郵便物の取出し口を有する郵便受け箱であって、前記取出し口が互いに向き合って備えられる縦方向を向いた一対のガイド溝に両側端部を案内されて上下動可能に備えられる蓋体によって開閉可能としてあると共に、前記ガイド溝に、該ガイド溝の長手方向に沿って、該ガイド溝内にある前記蓋体の側端部に接触可能な多毛状接触部を備えた案内手段を備えており、この案内手段の多毛状接触部と前記蓋体とが、該蓋体を前記ガイド溝内で、該蓋体の移動停止位置に保持し得る接触圧で接触される構成としてあることから、
郵便物の取り出し操作において前記蓋体の開閉部分の周辺部に当該蓋体の開閉操作のための空間を必要とすることがなく、比較的狭い空間内に当該郵便受け箱を設置、使用できる利点を有している。
【００８９】
また、開閉される蓋体は当該開閉位置において停止状態に保持されることから、郵便物の取出しや郵便物の受入室内の清掃あるいは補修などに際して逐一開き出し蓋体を他方の手などで保持する必要がなく、片手操作で郵便物の取出しなどをなすことができると共に両手を用いた受入室内の清掃や補修などをなすことができる利点を有している。
【００９０】
また、開閉される蓋体は前記案内手段の多毛状接触部によって緩衝的に保持されていることから、蓋体が取出し口下端縁に落下衝突される不具合がなく当該下端縁に向けて滑らかに押し下げ移動させることができる利点を有している。
【００９１】
また、前記蓋体と該蓋体の案内されるガイド溝との間に案内手段の多毛状接触部が備えられていることから閉じ込み状態にある該蓋体と該ガイド溝との間からの雨水や塵埃などの侵入が効果的に防止できる利点を有している。
【００９２】
また、前記蓋体は前記案内手段の多毛状接触部に面的に接触して該ガイド溝内で緩衝的に保持されると共に、該ガイド溝内を滑らかに案内される利点を有している。
【００９３】
また、前記構成に係る郵便受け箱において、前記ガイド溝に案内される蓋体が該蓋体の一方の面を前記案内手段の多毛状接触部に接触可能とされ且つ他方の面を前記ガイド溝に備えられている凸部に接触可能とすることによって、前記蓋体を、前記凸部に一方側の面を部分的に接しさせ且つ他方側の面を前記案内手段の多毛状接触部に接触させて、前記ガイド溝に沿って滑らかに移動させることができる利点を有している。
【００９４】
また、前記構成に係る郵便受け箱において、前記凸部の接触される前記蓋体の面に該凸部の少なくとも先端側が係脱可能に係合される孔を備えている構成とすることによって、前記蓋体を、所定の開き出し、あるいは閉じ込み位置において、前記凸部に係合状態とすることができる。
【００９５】
また、前記構成に係る郵便受け箱において、前記ガイド溝に案内される蓋体が、該蓋体の両面に接触される前記案内手段の多毛状接触部で保持されている構成とすることによって、前記蓋体を、その両面側から前記多毛状接触部によって緩衝的に保持し且つ当該保持状態で移動させることができる。
【図面の簡単な説明】
【図１】典型的な第１の実施の形態に係る郵便受け箱の斜視図
【図２】同仮想線で示される取付対象構造体に組み付けた状態の縦断面図
【図３】同蓋体を閉じた状態の要部縦断面図
【図４】同蓋体を開いた状態の要部縦断面図
【図５】同下部側を一部省略して示す要部縦断面図
【図６】同上部側を一部省略して示す要部縦断面図
【図７】同受け箱部の平断面図
【図８】同要部の拡大平断面図
【図９】図８におけるＭ−Ｍ矢視断面図
【図１０】図８におけるＮ−Ｎ矢視断面図
【図１１】同縦枠材のガイド溝側から見た側面図
【図１２】同拡大平面図
【図１３】同蓋体の正面図
【図１４】典型的な第２の実施の形態に係る郵便受け箱の要部拡大平断面図
【図１５】典型的な第３の実施の形態に係る郵便受け箱の要部拡大平断面図
【符号の説明】
Ａ  郵便受け箱
Ｂ  取付対象構造体
Ｗ  受入室
Ｖ  投入口
Ｘ  取出し口
Ｙ  投入路
１０  受け箱部
１１  投入路部
３３  蓋体
３４  ガイド溝
５０  凸部
５１  案内手段
５１ａ  多毛状接触部
【図１】
0004668387.tif 000002
【図２】
0004668387.tif 000003
【図３】
0004668387.tif 000004
【図４】
0004668387.tif 000005
【図５】
0004668387.tif 000006
【図６】
0004668387.tif 000007
【図７】
0004668387.tif 000008
【図８】
0004668387.tif 000009
【図９】
0004668387.tif 000010
【図１０】
0004668387.tif 000011
【図１１】
0004668387.tif 000012
【図１２】
0004668387.tif 000013
【図１３】
0004668387.tif 000014
【図１４】
0004668387.tif 000015
【図１５】
0004668387.tif 000016